(57)【要約】【課題】転送先として内線番号を登録した場合、携帯ＩＰ電話端末が宅外へ移動しているときは、宅内ＩＰ電話網では不在となるため、呼出しができず転送ができない。またアナログ通信手段による発信や相手先が不応答かどうかの判定には、交換機やＨＧＷからのトーン信号のパターンを複数周期検知して判定しなければならないため時間がかかり過ぎる。【解決手段】着信した通話を転送する際に、転送先である携帯ＩＰ電話端末が宅内ＩＰ電話網内に存在する否かをＩＰ通信手段を用いて判定し、携帯ＩＰ電話端末が宅内ＩＰ電話網内に存在すると判定すると、その携帯ＩＰ電話端末の内線電話番号を用いて、着信した通話を携帯ＩＰ電話端末に転送する。【選択図】  図４
2017200016.tif 000002
【特許請求の範囲】
【請求項１】
転送先である携帯ＩＰ電話端末の宅内ＩＰ電話網内でのＩＰアドレスと内線電話番号及び携帯電話網での携帯電話番号とを記憶する記憶手段と、
ＩＰ網を介してデータ通信を行うＩＰ通信手段と、
アナログ回線を介して通話及びデータ通信を行う通信手段と、
前記通信手段に着信した通話を転送する際に、転送先である携帯ＩＰ電話端末が宅内ＩＰ電話網内に存在する否かを前記ＩＰ通信手段を用いて判定する判定手段と、
前記判定手段が前記携帯ＩＰ電話端末が前記宅内ＩＰ電話網内に存在すると判定すると、前記記憶手段に記憶されている前記携帯ＩＰ電話端末の内線電話番号を用いて、前記着信した通話を前記携帯ＩＰ電話端末に転送するように制御する制御手段と、
を有することを特徴とする通信装置。
【請求項２】
前記制御手段は更に、前記判定手段が前記携帯ＩＰ電話端末が前記宅内ＩＰ電話網内に存在しないと判定すると、前記記憶手段に記憶されている前記携帯ＩＰ電話端末の携帯電話番号を用いて、前記着信した通話を前記携帯ＩＰ電話端末に転送するよう制御することを特徴とする請求項１に記載の通信装置。
【請求項３】
前記判定手段は、ＩＣＭＰプロトコルによるＰＩＮＧ要求に対する応答の有無により、前記携帯ＩＰ電話端末が前記宅内ＩＰ電話網内に存在する否かを判定することを特徴とする請求項１又は２に記載の通信装置。
【請求項４】
時間を計時する計時手段を更に有し、
前記判定手段は、前記計時手段が所定時間を計時するまでに前記応答がない場合、前記携帯ＩＰ電話端末が前記宅内ＩＰ電話網内に存在しないと判定することを特徴とする請求項３に記載の通信装置。
【請求項５】
時間を計時する計時手段を更に有し、
前記判定手段は、前記計時手段が所定時間を計時するまでに前記応答があると、前記携帯ＩＰ電話端末が前記宅内ＩＰ電話網内に存在すると判定することを特徴とする請求項３に記載の通信装置。
【請求項６】
前記通信装置は、公衆回線網と前記宅内ＩＰ電話網とを接続する内線電話機能を備えたゲートウェイに接続されているファクシミリ装置であることを特徴とする請求項１に記載の通信装置。
【請求項７】
前記携帯ＩＰ電話端末は、スマートフォンを含むことを特徴とする請求項１乃至６のいずれか１項に記載の通信装置。
【請求項８】
前記通信装置は、ＦＡＸ／スマフォ転送切替モードに設定されていることを特徴とする請求項１乃至７のいずれか１項に記載の通信装置。
【請求項９】
転送先である携帯ＩＰ電話端末の宅内ＩＰ電話網内でのＩＰアドレスと内線電話番号及び携帯電話網での携帯電話番号とを記憶する記憶手段を有し、アナログ回線を介して着信した通話を携帯ＩＰ電話端末に転送する通信装置の転送方法であって、
前記着信した通話を転送する際に、転送先である前記携帯ＩＰ電話端末が宅内ＩＰ電話網内に存在する否かをＩＰ網を使用して判定する判定工程と、
前記判定工程が前記携帯ＩＰ電話端末が前記宅内ＩＰ電話網内に存在すると判定すると、前記記憶手段に記憶されている前記携帯ＩＰ電話端末の内線電話番号を用いて、前記着信した通話を前記携帯ＩＰ電話端末に転送するように制御する制御工程と、
を有することを特徴とする通信装置の転送方法。
【請求項１０】
前記制御工程は更に、前記判定工程が前記携帯ＩＰ電話端末が前記宅内ＩＰ電話網内に存在しないと判定すると、前記記憶手段に記憶されている前記携帯ＩＰ電話端末の携帯電話番号を用いて、前記着信した通話を前記携帯ＩＰ電話端末に転送するよう制御することを特徴とする請求項９に記載の通信装置の転送方法。
【請求項１１】
コンピュータを、請求項１乃至８のいずれか１項に記載の通信装置の各手段として機能させるためのプログラム。
【発明の詳細な説明】
【技術分野】
【０００１】
本発明は、通信装置とその転送方法、及びプログラムに関する。
【背景技術】
【０００２】
近年、インターネットやイントラネット等の普及に伴いＩＰ電話が普及してきている。ＩＰ電話はＳＩＰ（Session Initiation Protocol）等の呼制御プロトコルを利用し、リアルタイム通信のためのセッションの生成・変更・切断を制御する。またＶｏＩＰ（Voice over Internet Protocol）技術を利用して音声を符号化・圧縮し、ＩＰパケットに変換してＩＰ網をリアルタイムで伝送して通話処理を行っている。
【０００３】
企業内での電話設備も、従来のデジタル式の交換機に代わって、ＳＩＰとＶｏＩＰを利用したＩＰ−ＰＢＸ（Internet Protocol- Private Branch eXchange）が普及している。このＩＰ−ＰＢＸを導入することにより、専用の電話線を設けることなく、イントラネットと統合した内線ＩＰ電話網を構築できる。これにより、ＰＣやＭＦＰ等のＩＰ端末が接続される同じネットワーク上で、ＩＰ電話機を内線電話として利用できる。また従来のアナログ接続の電話機やＦＡＸは、ＩＰ−ＰＢＸに接続されるアナログ電話アダプタやアナログ電話Ｉ／Ｆカードのアナログポートを介して内線ＩＰ電話網に接続して利用されている。
【０００４】
家庭における電話設備に関しても、通話と共にインターネットへの常時接続ができるＡＤＳＬ回線や光回線といった通信回線が普及してきている。これらの回線は、ターミナルアダプタ（ＴＡ）やホームゲートウェイ（ＨＧＷ）のＬＡＮポートや無線ＬＡＮを介して家庭内のＰＣ、ＭＦＰ、スマートフォン等のＩＰ端末と接続され、これら回線を介してデータ通信を行うことができる。またＩＰ電話機やＩＰ電話アプリケーションを導入したスマートフォンを内線電話機として利用可能であり、そのスマートフォンから宅内／外の電話機と音声通信を行うことができる。
【０００５】
従来のアナログ接続の電話機やＦＡＸは、ＴＡ／ＨＧＷに搭載されるＶｏＩＰ技術を利用したアナログポートに接続することにより、ＴＡ／ＨＧＷ配下の内線やＡＤＳＬ回線や光回線へ接続し、音声通話又はデータ通信を行う。
【０００６】
内線電話機能を有するＰＢＸやＴＡ／ＨＧＷには、標準的な機能として転送機能を有している。この転送機能は、通話状態にある呼を他の電話番号へ繋ぎ代える機能である。この転送機能は、着信に応答した操作者が発信者の意図しない相手であった場合などに、発信者の希望する相手先、又は発信端末の通信を処理できる端末へ繋ぎ代える機能である。この転送機能には、操作者が転送先への繋ぎかえを手動で行う手動転送と、自動応答した端末が、接続した相手先からの信号や音声から判断して、自動的に転送先へ繋ぎかえる自動転送がある。手動転送は、応答後に、操作者が発信者の希望を確認して、フッキング後に転送先の電話番号をダイヤルし、転送先が応答した後、通話を転送した旨を転送先の操作者に告げて回線を解放するものである。一方、自動転送は、発信側からの特定の通信プロトコル信号や端末指定するアドレスを含む信号、発信側が発信者による通話だと判断できる音声信号などを自動判別して、それら信号を処理できる端末へ自動的に転送するものである。
【０００７】
例えば特許文献１は、アナログ回線からの着信があった場合に、複数のＩＰ電話機に転送する技術を記載している。これによれば、複数の転送先であるＩＰ電話機のＩＰアドレスを予め登録しておき、アナログ回線に着信があった時に、複数の登録されたＩＰ電話機に対して同時にパケット送信を行うマルチキャスト機能により呼び出しを行う。こうして呼び出された複数のＩＰ電話機の内、それに応答して通話状態となったＩＰ電話機以外のＩＰ電話機に、他のＩＰ電話機が応答した旨のメッセージを通知している。
【先行技術文献】
【特許文献】
【０００８】
【特許文献１】特開２００６−９４３３０号公報
【発明の概要】
【発明が解決しようとする課題】
【０００９】
しかしながら上記従来技術では、マルチキャスト機能により呼び出すＩＰ電話機が、宅内外を移動するスマートフォン等の携帯ＩＰ電話端末の場合には、以下の理由により問題が生じる。
【００１０】
登録されているＩＰアドレスが宅内のローカルＩＰアドレスのみの場合、そのＩＰアドレスを有する携帯ＩＰ電話端末が操作者と一緒に宅外へ移動した場合、呼出パケットは携帯ＩＰ電話端末へ到達できないため、着呼の転送ができない。
【００１１】
登録されているＩＰアドレスが宅外で使用するＩＰアドレスの場合、キャリア内で共有割当てられる動的ＩＰアドレスであり、変更された場合には誤った相手先に接続しようとするため宛先として利用できない。
【００１２】
上述の携帯ＩＰ電話端末の宛先をＩＰアドレスの代わり内線／外線電話番号に置き換えることは可能であるが、この場合も以下の理由により問題が生じる。
【００１３】
転送先として内線番号を登録した場合、携帯ＩＰ電話端末が宅外へ移動しているときは、宅内ＩＰ電話網では不在となるため、呼出しができず転送ができない。
【００１４】
転送先として外線番号を登録した場合、携帯ＩＰ電話端末が宅外に移動した場合にも通信は可能である。しかし宅内のＩＰ電話網内に携帯ＩＰ電話端末が存在している場合は、通話料金が発生しない内線転送で済むところを、通話料金が発生する外線転送となるため、無駄に通話料金が発生してしまう。
【００１５】
また、アナログ通信手段により内線番号を優先して呼び出し、内線の転送先が応答しなければ外線番号を呼び出すようにすることも可能である。しかし、アナログ通信手段による発信や相手先が不応答かどうかの判定には、交換機やＨＧＷからのトーン信号のパターンを複数周期検知して判定しなければならないため、時間がかかり過ぎてしまい使い勝手が良くない。
【００１６】
本発明の目的は、上記従来技術の課題を解決することにある。
【００１７】
本発明の目的は、宅内外を移動する携帯ＩＰ電話端末へ通話を転送する際、ＩＰ網を使用して、携帯ＩＰ電話端末が宅内にあるか否かの確認に要する時間を短縮して転送する技術を提供することにある。
【課題を解決するための手段】
【００１８】
上記目的を達成するために本発明の一態様に係る通信装置は以下のような構成を備える。即ち、
転送先である携帯ＩＰ電話端末の宅内ＩＰ電話網内でのＩＰアドレスと内線電話番号及び携帯電話網での携帯電話番号とを記憶する記憶手段と、
ＩＰ網を介してデータ通信を行うＩＰ通信手段と、
アナログ回線を介して通話及びデータ通信を行う通信手段と、
前記通信手段に着信した通話を転送する際に、転送先である携帯ＩＰ電話端末が宅内ＩＰ電話網内に存在する否かを前記ＩＰ通信手段を用いて判定する判定手段と、
前記判定手段が前記携帯ＩＰ電話端末が前記宅内ＩＰ電話網内に存在すると判定すると、前記記憶手段に記憶されている前記携帯ＩＰ電話端末の内線電話番号を用いて、前記着信した通話を前記携帯ＩＰ電話端末に転送するように制御する制御手段と、を有することを特徴とする。
【発明の効果】
【００１９】
本発明によれば、宅内外を移動する携帯ＩＰ電話端末へ通話を転送する際、ＩＰ網を使用して、携帯ＩＰ電話端末が宅内にあるか否かの確認に要する時間を短縮して転送できるという効果がある。
【００２０】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００２１】
添付図面は明細書に含まれ、その一部を構成し、本発明の実施形態を示し、その記述と共に本発明の原理を説明するために用いられる。
【図１】本発明の実施形態に係るＧ３ＦＡＸの構成と、ホームゲートウェイで管理される宅内ＩＰ電話網と公衆ＩＰ網及び携帯電話網とを含むシステム構成を示すブロック図。
【図２】本発明の実施形態に係る宅内ＩＰ網への通話着信時に、Ｇ３ＦＡＸが、宅内ＩＰ電話網内の携帯ＩＰ電話端末の不在を確認して、外線である、その携帯ＩＰ電話端末の電話番号を呼び出す場合のシーケンス図。
【図３】本発明の実施形態に係る宅内ＩＰ網への通話着信時に、実施形態に係るＧ３ＦＡＸが、宅内ＩＰ電話網内の携帯ＩＰ電話端末の在宅を確認して内線番号で携帯ＩＰ電話端末を呼び出す場合のシーケンス図。
【図４】本発明の実施形態に係るＧ３ＦＡＸによる転送処理を説明するフローチャート。
【発明を実施するための形態】
【００２２】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００２３】
本実施形態では、公衆回線網と宅内ＬＡＮを接続する内線電話機能を備えたゲートウェイ３０１に接続された通信装置１００と、その内線の子機として登録されたスマートフォン等の携帯ＩＰ電話端末２０３との連携を説明する。特に、通信装置で応答した通話着信を携帯ＩＰ電話端末に転送する場合、宅内外を移動する携帯ＩＰ電話端末への接続性を向上させる例で説明する。尚、実施形態では、通信装置を、「ＦＡＸ／スマフォ転送切替モード」に設定されたＧ３ＦＡＸ１００を例に説明する。この「ＦＡＸ／スマフォ転送切替モード」に設定されたＧ３ＦＡＸ１００は、着信時にＦＡＸ信号を検出しない場合にその着呼が通話であると判断する。そして宅内ＩＰ電話網に携帯ＩＰ電話端末が存在するか、存在しないかを判別し、宅内ＩＰ電話網に存在するときは内線番号で、存在しないときは外線である電話番号で携帯ＩＰ電話端末を呼び出すように動作する。以下、詳しく説明する。
【００２４】
図１は、本発明の実施形態に係るＧ３ＦＡＸ１００の構成と、ホームゲートウェイ（ＨＧＷ）３０１で管理される宅内ＩＰ電話網と公衆ＩＰ網及び携帯電話網とを含むシステム構成を示すブロック図である。ここで公衆ＩＰ網は、例えばＮＧＮ（Next Generation Network）である。
【００２５】
Ｇ３ＦＡＸ１００はＧ３ＦＡＸ装置で以下に説明する構成を有する。ＣＰＵ１０１は、ＲＯＭ１０２に記憶されているプログラムをＲＡＭ１０３に展開し、その展開したプログラム実行することにより、この装置全体の動作を制御している。ＲＡＭ１０３は例えばＳＲＡＭ等を有し、ＣＰＵ１０１の処理時にワークエリアを提供し、また装置の設定情報や画像データの管理情報等のバックアップが必要なデータを蓄積するのに使用される。画像メモリ１０４は、例えばＤＲＡＭ等を有し、ファクシミリ受信データや送信データ等の画像データを蓄積する。解像度変換処理部１０５は、ラスタデータのミリメートルからインチへの解像度変換等の処理を行う。コーデック（符号化／復号化部）１０６は、画像データの符号化及び復号化を行う。時計部１０７はタイマ（ＲＴＣ）で、時間を計時するのに使用され、例えばＩＣ等で構成される。ＬＡＮＩ／Ｆ１０８は、ＬＡＮ２００を介した通信を制御する。モデム１０９は、アナログ回線２０１から受信した変調信号を復調したり、逆にＧ３ＦＡＸ１００から、変調信号を回線に送出するのに使用される。ＮＣＵ（Network Control Unit）１１０はリレー等を有する回線制御部で、パルスによる選択信号やフッキングなどの信号を、アナログ回線２０１を介して交換機やＨＧＷ３０１に送出する。画像処理部１１１は、スキャナによって生成された画像データに補正処理を施して高精細な画像データを出力する。シートスキャナ１１２、ブックスキャナ１１３は、ＣＳイメージセンサ、原稿搬送機構などを有し、原稿を光学的に読み取って電気的な画像データに変換して出力するスキャナとして機能している。これらは両面原稿の読み取りを行うこともできる。操作部１１４は、キーボード、表示部等を有し、オペレータの操作を受付けて、オペレータからの指示を入力したり、オペレータへのメッセージなどを表示する。ラインバッファ１１５は、画像データの転送制御を行う場合に使用され、画像データをライン単位で記憶するバッファである。プリントバッファ１１６は、プリンタ１１７に出力する１ページ分のイメージデータを格納する。プリンタ１１７は、受信した画像データやファイルデータに基づいて、用紙（シート）に画像を印刷するプリンタであり、両面印刷を行うことができる。ＨＤＤ（ハードディスクドライブ）１１８は、転送先である携帯ＩＰ電話端末２０３の宅内ＩＰ電話網２０４内でのＩＰアドレスと内線電話番号、及び携帯電話網での携帯電話番号とを記憶している。またＨＤＤ１１８は、前述したプログラムや画像データ等を記憶するのに使用されても良い。
【００２６】
Ｇ３ＦＡＸ１５０は、ＨＧＷ３０２のアナログポートに接続されたＧ３ＦＡＸ装置であり、Ｇ３ファクシミリ通信を行う。アナログ電話端末１５１は、ＨＧＷ３０２のアナログポートに接続された電話機である。
【００２７】
ＬＡＮ２００は、ＨＧＷ３０１に管理されるＩＰネットワークで、ＰＣやプリンタ等のＩＰ端末やＩＰ電話端末を接続している。アナログ回線２０１は、Ｇ３ＦＡＸ１００のＮＣＵ１１０と、ＨＧＷ３０１に搭載されたアナログポートとを接続する。このアナログ回線２０１は、従来のアナログ電話端末やＧ３ＦＡＸなどのアナログ端末を接続可能である。Ｇ３ＦＡＸ１００とＨＧＷ３０１は、ＬＡＮ２００とアナログ回線２０１の両方で接続されている。
【００２８】
ＩＰ電話端末２０２は、ＨＧＷ３０１によって内線電話機として利用できるように制御されるＩＰネットワーク上で利用できる電話機である。携帯ＩＰ電話端末２０３は、ＨＧＷ３０１が搭載している無線ＬＡＮ機能により、ＨＧＷ３０１が管理している宅内ＩＰ電話網（内線）２０４の子機として利用される。この携帯ＩＰ電話端末２０３は、例えばスマートフォン等で、宅内ＩＰ電話網２０４と同時に、携帯電話網４００にも接続される。この携帯電話網４００からの接続は、携帯電話の電話番号で指定されて実行される。宅内ＩＰ電話網２０４は、ＨＧＷ３０１の有線／無線ＬＡＮとアナログポートと、及びそれらに接続されるＩＰ電話端末とアナログ電話端末により構成され、ＮＧＮ３００に接続可能な電話網である。ＮＧＮ３００は、公衆ＩＰネットワークを示し、通話やデータ通信のサービスを提供する。
【００２９】
ＨＧＷ３０１，３０２は、公衆ＩＰネットワークであるＮＧＮ３００とＬＡＮ２００とを接続するホームゲートウェイであり、ＬＡＮ２００に接続されたＩＰ電話端末２０２及びＩＰＦＡＸの呼制御サーバとして機能する。これらＨＧＷ３０１，３０２は、無線ＬＡＮ機能を有しているものもあり、携帯ＩＰ電話端末２０３と無線ＬＡＮで接続して通話やデータ通信を行える。またＨＧＷ３０１，３０２はアナログポートを搭載し、従来のアナログ電話端末やＧ３ＦＡＸを接続できる。
【００３０】
携帯電話網４００は、携帯電話端末や携帯ＩＰ電話端末２０３を収容し、通話やデータ通信のサービスを行う携帯電話網である。
【００３１】
図２は、本発明の実施形態に係る宅内ＩＰ網２０４への通話着信時に、Ｇ３ＦＡＸ１００が、宅内ＩＰ電話網２０４内の携帯ＩＰ電話端末２０３の不在を確認して、外線であるその携帯ＩＰ電話端末２０３の電話番号を呼び出す場合のシーケンス図である。
【００３２】
このときＧ３ＦＡＸ１００は、「ＦＡＸ／スマフォ転送切替モード」に設定されており、ＦＡＸ信号の非検出により着呼は通話であると判断する。そして宅内ＩＰ電話網２０４内に携帯ＩＰ電話端末２０３の不在であることを確認すると、その携帯ＩＰ電話端末２０３の電話番号を呼び出す例を示している。尚、ここで図１と共通する部分は同じ番号で示している。
【００３３】
Ｔ１０１で、公衆ＩＰネットワークに接続されたアナログ電話端末１５１がＧ３ＦＡＸ１００に対して呼び出しをかける。これによりＴ１０２で、ＨＧＷ３０１のアナログポートを介してＧ３ＦＡＸ１００が呼出信号を着信する。次にＴ１０３で、Ｇ３ＦＡＸ１００は、その呼出信号を検出して回線を閉結し、ＨＧＷ３０１を介して相手先のアナログ電話端末１５１と接続状態となる。Ｇ３ＦＡＸ１００は、相手側のアナログ電話端末１５１と接続状態となると、Ｔ１０４で、ＦＡＸ通信であればＦＡＸ送信機側から送られてくる初期識別信号であるＣＮＧ信号の監視処理を開始する。Ｇ３ＦＡＸ１００は、一定時間のＣＮＧ信号が検出されなかった場合はこの着信が通話であると判断し、通話可能な端末に通話を転送するための処理を開始する。
【００３４】
このとき、転送先の端末が宅内外に移動可能な携帯ＩＰ電話端末２０３である場合、携帯ＩＰ電話端末２０３が宅内ＩＰ電話網２０４内に存在するか否かを確認する。このときＧ３ＦＡＸ１００はＴ１０５で、宅内ＩＰ電話網２０４での携帯ＩＰ電話端末２０３のＩＰアドレス（ローカルＩＰアドレス）を宛先としてＰＩＮＧ要求を送出する。このＰＩＮＧ要求は、ネットワーク上のＩＰ端末が通信可能かどうかを調べるコマンドであり、調べたい端末のＩＰアドレスを宛先として送信し、それに対する応答があるか否かでその端末がネットワーク上に存在するか否か確認できる。携帯ＩＰ電話端末２０３は、無線ＬＡＮ接続となるので、Ｇ３ＦＡＸ１００から送出された携帯ＩＰ電話端末２０３へのＰＩＮＧ要求は、ＨＧＷ３０１を介して、ＨＧＷ３０１搭載の無線ＬＡＮ経由で通知される。
【００３５】
図２の例では、宛先である携帯ＩＰ電話端末２０３が宅内電話ＩＰ網２０４外に移動している。このため、携帯ＩＰ電話端末２０３のローカルＩＰアドレスを宛先として送出されたＰＩＮＧ要求は携帯ＩＰ電話端末２０３へは届かず、ＰＩＮＧ応答も返信されない（Ｔ１０６）。このためＧ３ＦＡＸ１００は、ＰＩＮＧ応答を受信できないため（Ｔ１０７）、宅内ＩＰ電話網２０４内に携帯ＩＰ電話端末２０３が存在しないと判定し、携帯ＩＰ電話端末２０３の電話番号に対して転送処理を開始する。この転送処理は、Ｔ１０８で、通話状態にあるアナログ回線をフッキングにより保留状態とし、ＨＧＷ３０１を、転送先の電話番号の入力待ちの状態にする。次にＴ１０９でＧ３ＦＡＸ１００は、転送先の電話番号である携帯ＩＰ電話端末２０３の電話番号を選択信号としてＨＧＷ３０１に送出する。
【００３６】
こうして送出された選択信号は、Ｔ１１０で、ＮＧＮ３００と携帯電話網４００を介して、宅内電話ＩＰ網２０４の外に移動した携帯ＩＰ電話端末２０３に通知される。携帯ＩＰ電話端末２０３の呼び出し中は、Ｇ３ＦＡＸ１００へはリングバックトーン（ＲＢＴ）が通知される。こうしてＴ１１１で、呼出相手先である携帯ＩＰ電話端末２０３が応答するとリングバックトーンは停止する。Ｇ３ＦＡＸ１００は、携帯ＩＰ電話端末２０３が応答したか否かを、このリングバックトーンの停止により判定するＲＢＴ断監視を、選択信号を送出した直後から開始している。こうしてリングバックトーンが停止するとＧ３ＦＡＸ１００はＴ１１２で、携帯ＩＰ電話端末２０３が接続したと判定する。そしてＴ１１３で、アナログ電話端末１５１とＧ３ＦＡＸ１００との接続を、アナログ電話端末１５１と携帯ＩＰ電話端末２０３との接続に切り換えるために、Ｇ３ＦＡＸ１００は回線を解放する。こうしてＧ３ＦＡＸ１００が回線を解放すると、ＨＧＷ３０１はＴ１１４で、アナログ電話端末１５１と携帯ＩＰ電話端末２０３とを接続させて通話状態とし、転送処理が完了する。
【００３７】
図３は、本発明の実施形態に係る宅内ＩＰ網２０４への通話着信時に、実施形態に係るＧ３ＦＡＸ１００が、宅内ＩＰ電話網２０４内の携帯ＩＰ電話端末２０３の在宅を確認して内線番号で携帯ＩＰ電話端末２０３を呼び出す場合のシーケンス図である。ここでＧ３ＦＡＸ１００は、「ＦＡＸ／スマフォ転送切替モード」に設定されており、ＦＡＸ信号の非検出により通話による着呼と判断し、宅内ＩＰ電話網２０４内の携帯ＩＰ電話端末２０３が存在しているのを確認して内線番号で呼び出すものとする。
【００３８】
図３において、Ｔ２０１〜Ｔ２０５では、アナログ電話端末１５１がＧ３ＦＡＸ１００に対して呼び出しをかけ、Ｇ３ＦＡＸ１００が携帯ＩＰ電話端末のＩＰアドレス（ローカルＩＰアドレス）を宛先としてＰＩＮＧ要求を送出している。これら処理は、図２のＴ１０１〜Ｔ１０５と同じであるため、その説明を省略する。
【００３９】
Ｔ２０６で、Ｇ３ＦＡＸ１００が携帯ＩＰ電話端末２０３のローカルＩＰアドレス宛先で宅内ＩＰ電話網２０４に送出したＰＩＮＧ要求は、無線ＬＡＮを介して携帯ＩＰ電話端末２０３に通知される。そのＰＩＮＧ要求に応答して、携帯ＩＰ電話端末２０３はＴ２０７で、ＰＩＮＧ応答を無線ＬＡＮ、ＨＧＷ３０１を経由してＧ３ＦＡＸ１００へ返信する。これにより、Ｇ３ＦＡＸ１００はＰＩＮＧ応答を受信し、携帯ＩＰ電話端末２０３が宅内ＩＰ電話網２０４内に存在すると判定し、携帯ＩＰ電話端末２０３の内線番号に転送処理を開始する。この転送処理では、先ずＴ２０８で、通話状態にあるＨＧＷ３０１のアナログポートに接続された回線をフッキングにより保留状態とし、ＨＧＷ３０１を転送先の電話番号の入力待ちの状態にする。次にＴ２０９でＧ３ＦＡＸ１００は、転送先の電話番号である携帯ＩＰ電話端末２０３の内線番号を選択信号としてＨＧＷ３０１に送出する。この選択信号を通知されたＨＧＷ３０１はＴ２１０で、その選択信号で指定された内線端末である携帯ＩＰ電話端末２０３を呼び出す。この呼び出し中は、Ｇ３ＦＡＸ１００に対して、リングバックトーンが通知される。そして呼出相手先である携帯ＩＰ電話端末２０３が応答すると、リングバックトーンは停止する。Ｇ３ＦＡＸ１００は、Ｔ２１１で、携帯ＩＰ電話端末２０３が応答したかどうかをリングバックトーンにより判定するＲＢＴ断監視を、選択信号を送出した直後から開始している。そしてＴ２１２で、リングバックトーンが停止するとＧ３ＦＡＸ１００は、携帯ＩＰ電話端末２０３と接続したと判断する。そしてＴ２１３で、アナログ電話端末１５１とＧ３ＦＡＸ１００との接続を、アナログ電話端末１５１と携帯ＩＰ電話端末２０３との接続に切り換えるために、Ｇ３ＦＡＸ１００が回線を解放する。こうしてＧ３ＦＡＸ１００が回線を解放すると、Ｔ２１４でＨＧＷ３０１はアナログ電話端末１５１と携帯ＩＰ電話端末２０３とを接続させて通話状態とし、転送処理を完了する。
【００４０】
図４は、本発明の実施形態に係るＧ３ＦＡＸ１００による転送処理を説明するフローチャートである。この処理はＲＯＭ１０２に格納されているプログラムをＲＡＭ１０３に展開し、そのプログラムをＣＰＵ１０１が実行することにより実現される。尚、このときＧ３ＦＡＸ１００は、「ＦＡＸ／スマフォ転送切替モード」に設定されているものとする。  先ずＳ４０１でＣＰＵ１０１は、ＨＧＷ３０１のアナログポートを介して呼出信号を受信したかどうか判定し、呼出信号を着信するとＳ４０２に進みＣＰＵ１０１は、ＮＣＵ１１０を制御して回線を捕捉する。こうして回線捕捉するとＳ４０３に進みＣＰＵ１０１は、ＣＮＧ信号を監視するために時計部１０７による計時を開始させる。このとき時計部１０７は、ＣＮＧ信号監視用タイマとして機能する。
【００４１】
Ｓ４０４でＣＰＵ１０１は、ＣＮＧ信号を検知したかどうか判定し、ＣＮＧ信号を検知するとＳ４０５に進みファクシミリ信号の受信処理を開始してＳ４２５に進むが、そうでないときはＳ４０６に進む。Ｓ４０６でＣＰＵ１０１は、ＣＮＧ信号監視用タイマによる計時が所定時間以上となってタイムアウトになったかどうか判定し、タイムアウトでなければＳ４０４に進んでＣＮＧ信号を検知したかどうか判定する。Ｓ４０６でＣＮＧ信号監視用タイマによる計時が所定時間以上となってタイムアウトになると、ファクシミリ信号の受信でない、即ち、通話と判定してＳ４０７に進む。
【００４２】
Ｓ４０７でＣＰＵ１０１は、図３を参照して前述したように、転送先である携帯ＩＰ電話端末が宅内ＩＰ電話網２０４内に存在するか否かを判定するためにＰＩＮＧ要求を送信する。ここでＣＰＵ１０１は、宅内ＩＰ電話網２０４内での携帯ＩＰ電話端末２０３のＩＰアドレス（ローカルＩＰアドレス）を宛先としたＰＩＮＧ要求を送信する。これとともにＣＰＵ１０１は、ＰＩＮＧ応答を監視するために時計部１０７による計時を開始させる。このとき時計部１０７は、ＰＮＧ応答確認用タイマとして機能する。次にＳ４０８に進みＣＰＵ１０１は、ＰＮＧ応答を受信したかどうか判定する。ここでＰＩＮＧ応答を受信するとＳ４０８からＳ４０９に進むが、そうでないときはＳ４１３に進む。Ｓ４１３でＰＩＮＧ確認用タイマがタイムアウトしたかどうか判定し、タイムアウトしていなければＳ４０８に進んで、前述の処理を実行する。
【００４３】
こうしてＳ４０８でＣＰＵ１０１は、ＰＩＮＧ確認用タイマがタイムアウトするまでに携帯ＩＰ電話端末２０３からのＰＩＮＧ応答を受信すると、宅内ＩＰ電話網２０４内に携帯ＩＰ電話端末２０３が存在しているためＳ４０９に進む。Ｓ４０９でＣＰＵ１０１は、図３のＴ２０８のように、ＨＧＷ３０１のアナログポートに対してフッキングを行って、選択信号を受け付けられるようにする。そしてＳ４１０に進みＣＰＵ１０１は、その携帯ＩＰ電話端末２０３の内線番号をＨＤＤ１１８から読み出して、その内線番号に発信する。そして内線番号の発信後に、電話の呼び出しに対する応答を監視するために時計部１０７による計時を開始させる。このとき時計部１０７は、呼出しタイマとして機能する。次にＳ４１２に進みＣＰＵ１０１は、内線番号の呼出し時の携帯ＩＰ電話端末２０３の応答を検出するリングバックトーンの中断検知（ＲＢＴ断検知）と、携帯ＩＰ電話端末２０３の話中を検出するビジートーン検知（ＢＴ検知）を開始してＳ４１８に進む。
【００４４】
一方、Ｓ４１３でＣＰＵ１０１は、ＰＩＮＧ確認用タイマがタイムアウトしたと判定すると、宅内ＩＰ電話網２０４内に携帯ＩＰ電話端末２０３が存在していないためＳ４１４に進む。このとき携帯ＩＰ電話端末２０３は、宅内ＩＰ電話網２０４の外にいるため、その着呼を、ＨＤＤ１１８から読み出した、外線である携帯ＩＰ電話端末２０３の携帯電話番号へ転送する。よって、先ずＳ４１４でＣＰＵ１０１は、ＨＧＷ３０１のアナログポートに対してフッキングを行う。次にＳ４１５に進みＣＰＵ１０１は、携帯ＩＰ電話端末２０３の電話番号を発信する。これは図２のＴ１１０に該当している。次にＳ４１６に進みＣＰＵ１０１は、携帯番号による発信に対する応答を監視するために、時計部１０７による計時を開始させる。このとき時計部１０７は、呼出しタイマとして機能する。次にＳ４１７に進みＣＰＵ１０１は、外線呼出し時に携帯ＩＰ電話端末２０３の応答を検出するリングバックトーンの中断検知（ＲＢＴ断検知）と、携帯ＩＰ電話端末２０３の話中を検出するビジートーン検知（ＢＴ検知）を開始してＳ４１８に進む。
【００４５】
Ｓ４１８でＣＰＵ１０１は、転送先を呼び出している時間を監視する呼出タイマがタイムアウトになったかどうか判定する。ここでタイムアウトになったと判定すると、転送先の携帯ＩＰ電話端末２０３の操作者が不在、又は応答できない状態であると判定してＳ４２１に進む。Ｓ４２１でＣＰＵ１０１は、転送処理をキャンセルし、保留していたアナログ電話端末との接続を再開するためにフッキングを行う。そしてＳ４２２に進みＣＰＵ１０１は、発信元であるアナログ電話端末に対して、転送先不在の音声メッセージを通知してＳ４２５に進み、回線を解放して処理を終了する。
【００４６】
Ｓ４１８でＣＰＵ１０１は、転送先を呼び出している時間を監視する呼出タイマがタイムアウトでないと判定するとＳ４１９に進む。Ｓ４１９でＣＰＵ１０１は、ビジートーン（ＢＴ）が検知されたかどうか判定し、ビジートーン（ＢＴ）が検知されると転送先の携帯ＩＰ電話端末２０３は話中であると判断してＳ４２３に進む。Ｓ４２３でＣＰＵ１０１は、転送処理をキャンセルし、保留していたアナログ電話端末との接続を再開するためにフッキングを行う。そしてＳ４２４に進みＣＰＵ１０１は、発信元であるアナログ電話端末に対して、転送先が話中であることを示す音声メッセージを通知してＳ４２５に進み、回線を解放して、この処理を終了する。
【００４７】
またＳ４１９でＣＰＵ１０１は、ビジートーン（ＢＴ）が検知されないときはＳ４２０に進みＣＰＵ１０１は、リングバックトーン（ＲＢＴ）の中断が検知されたかどうか判定する。ここでＲＢＴの中断が検知されないときはＳ４１８に進むが、リングバックトーン（ＲＢＴ）の中断が検知されるとＳ４２５に進む。この場合は、呼出タイマがタイムアウトになる前にリングバックトーンの中断が検知されて、転送先の携帯ＩＰ電話端末２０３が応答したと判定する。そして、発信元のアナログ電話端末とＧ３ＦＡＸ１００の接続を、アナログ端末と携帯ＩＰ電話端末２０３との接続に切り換えるために回線を解放して、この転送処理を終了する。
【００４８】
上述の実施形態では、転送先である携帯ＩＰ電話端末２０３が宅内ＩＰ電話網２０４内に存在する否かを、ＩＣＭＰプロトコルによるＰＩＮＧ要求に対する応答の有無で確認した。しかし本発明はこれに限らず、他の手段を用いて存在を確認しても良い。その一例として例えば、ＳＩＰ（Session Initiation Protocol）におけるプレゼンス機能を使用しても良い。
【００４９】
以上説明したように実施形態によれば、宅内ＩＰ電話網に接続された通信装置が、宅内外を移動する携帯ＩＰ電話端末へ通話を転送する場合、その転送前に宅内ＩＰ電話網内に携帯ＩＰ電話端末が存在するか否かを判別する。これにより、転送処理を行う前に、携帯ＩＰ電話端末が宅内ＩＰ電話網内にあるか否かをＩＰ通信により確認するので、宅内ＩＰ電話網内にあるか否かの確認に要する時間を短縮できる。
【００５０】
また実施形態によれば、携帯ＩＰ電話端末が宅内ＩＰ電話網内に存在していることを確認してから、内線番号で携帯ＩＰ電話端末に転送できる。これにより、宅内ＩＰ電話網内に携帯ＩＰ電話端末が存在しているにも拘らず、外線の電話番号で転送して通話料金が発生してしまうといった事態を回避できる。
【００５１】
更に、携帯ＩＰ電話端末が宅内ＩＰ電話網内に存在していない場合でも、外線の電話番号で転送できるため、例えばユーザの外出先であっても、携帯ＩＰ電話端末でその転送された通話に応答できるという効果がある。
【００５２】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００５３】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【００５４】
１００…Ｇ３ＦＡＸ、１０１…ＣＰＵ、１０２…ＲＯＭ、２０３…携帯ＩＰ電話端末、２０４…宅内ＩＰ電話網、３０１…ＨＧＷ
【図１】
2017200016.tif 000003
【図２】
2017200016.tif 000004
【図３】
2017200016.tif 000005
【図４】
2017200016.tif 000006